(57)【要約】      （修正有）【課題】従来よりも使用時および運搬時の両方の利便性が高い折畳イスを提供する。【解決手段】それぞれシート状部材を組み立てることで、少なくとも上面が閉じられた筒として構成された折り畳み可能な２つの箱体からなり、一方の箱体１０に、その下端側において対向する位置それぞれから下方へ延出する嵌合片が形成され、他方の箱体２０の上面部に、嵌合片と同じ位置関係で該嵌合片がそれぞれ嵌合可能な嵌合孔が形成されており、該嵌合孔に前記嵌合片が嵌合するように箱体それぞれを重ねることで一方の箱体における上面部が座面となる。【選択図】図１
2017029544.tif 000002
【特許請求の範囲】
【請求項１】
それぞれシート状部材を組み立てることで、少なくとも上面が閉じられた筒として構成された折り畳み可能な２つの箱体からなり、
一方の前記箱体に、その下端側において対向する位置それぞれから下方へ延出する嵌合片が形成され、他方の前記箱体の上面部に、前記嵌合片と同じ位置関係で該嵌合片がそれぞれ嵌合可能な嵌合孔が形成されており、該嵌合孔に前記嵌合片が嵌合するように前記箱体それぞれを重ねることで一方の前記箱体における上面部が座面となる
ことを特徴とする折畳イス。
【請求項２】
前記箱体それぞれは、少なくとも対向する１対の側面部を有しており、
前記嵌合片は、前記箱体において対向する側面部それぞれの下端側から延出しており、
前記嵌合孔は、前記箱体の上面部において前記嵌合片それぞれに対応する位置であって、該上面部の端部より少なくとも前記シート状部材の厚さだけ内側に形成されている
ことを特徴とする請求項１に記載の折畳イス。
【請求項３】
前記箱体それぞれは、断面四角形で底面が開放された筒として構成されており、
前記嵌合片は、前記箱体において左右方向に沿って配置された側面部それぞれの下端側から延出しており、
前記箱体において左右方向に沿って配置された側面部それぞれには、その上端部から延出する延出片が形成され、該延出片を屈曲させることで上面部となるように構成されており、
前記箱体において前後方向に沿って配置された対向する側面部それぞれは、前記箱体の内側へ凹となるよう所定量だけ屈曲することで、該側面部の上端に配置される前記上面部への荷重を支えるとともに、該屈曲量を大きくし左右方向に沿って配置された側面部を接近させることで、当該箱体の左右方向への折畳を実現可能に構成されている
ことを特徴とする請求項１または請求項２に記載の折畳イス。
【発明の詳細な説明】
【技術分野】
【０００１】
本発明は、折畳イスに関する。
【背景技術】
【０００２】
従来から、シート状部材により折り畳み可能に構成された折畳イスが種々提案されている（特許文献１参照）。
【先行技術文献】
【特許文献】
【０００３】
【特許文献１】特開２００５−２１８８３６号公報
【発明の概要】
【発明が解決しようとする課題】
【０００４】
上述したような折畳イスは、イスとして使用する際の利便性を考えると、着席および離席時における利用者の負担が大きくならないよう充分な高さを確保することが望ましいが、高さに応じて部材が大きくなり折り畳んで持ち運ぶ際の利便性が低下してしまう。
【０００５】
折畳イスが簡易的なイスとして持ち運んで使用することを想定したものであることに照らすと、コンパクトに折畳めることが持ち運ぶ際の利便性という点で重要であり、従来の折畳イスは、必ずしも使用時および運搬時の両方の利便性が高いとはいえなかった。
【０００６】
本発明は、このような課題を解決するためになされたものであり、その目的は、従来よりも使用時および運搬時の両方の利便性が高い折畳イスを提供することである。
【課題を解決するための手段】
【０００７】
上記課題を解決するため第１の構成は、それぞれシート状部材を組み立てることで、少なくとも上面が閉じられた筒として構成された折り畳み可能な２つの箱体からなり、一方の前記箱体に、その下端側において対向する位置それぞれから下方へ延出する嵌合片が形成され、他方の前記箱体の上面部に、前記嵌合片と同じ位置関係で該嵌合片がそれぞれ嵌合可能な嵌合孔が形成されており、該嵌合孔に前記嵌合片が嵌合するように前記箱体それぞれを重ねることで一方の前記箱体における上面部が座面となる。
【０００８】
このように構成された折畳イスであれば、２つの箱体を連結してイスの高さを確保することができ、イスの高さという点で使用時の利便性が高いことはもちろん、箱体の連結を解除して個別に折畳むことができるため、箱体を連結しない従来の構成と比べて各箱体をコンパクトに折畳むことができ、その結果、運搬時の利便性も高い。
【０００９】
この構成において、箱体に形成された嵌合片および嵌合孔は、箱体の連結を実現可能な位置に設けられていればその具体的な位置関係は特に限定されない。例えば、箱体それぞれが、少なくとも対向する１対の側面部を有している場合には、以下に示す第２の構成のようにすることが考えられる。
【００１０】
第２の構成において、前記嵌合片は、前記箱体において対向する側面部それぞれの下端側から延出しており、前記嵌合孔は、前記箱体の上面部において前記嵌合片それぞれに対応する位置であって、該上面部の端部より少なくとも前記シート状部材の厚さだけ内側に形成されている。
【００１１】
この構成に係る折畳イスであれば、下段の箱体における嵌合孔が、その上面部の端部よりも少なくともシート状部材の厚さだけ内側に形成されているため、この嵌合孔に嵌合する上段の箱体における嵌合片は、嵌合孔の内周面に押されて変形しながら嵌合孔に侵入していくこととなる。嵌合片は箱体において対向する側面部それぞれに設けられていることから、両方の嵌合片がそれぞれ内側に変形しながら嵌合孔に侵入していくことで、下段の箱体を嵌合孔により挟んで安定的な連結状態を実現することができる。
【００１２】
なお、上述した各構成は以下に示す第３のように構成してもよい。
第３の構成において、前記箱体それぞれは、断面四角形で底面が開放された筒として構成されており、前記嵌合片は、前記箱体において左右方向に沿って配置された側面部それぞれの下端側から延出しており、前記箱体において左右方向に沿って配置された側面部それぞれには、その上端部から延出する延出片が形成され、該延出片を屈曲させることで上面部となるように構成されており、前記箱体において前後方向に沿って配置された対向する側面部それぞれは、前記箱体の内側へ凹となるよう所定量だけ屈曲することで、該側面部の上端に配置される前記上面部への荷重を支えるとともに、該屈曲量を大きくし左右方向に沿って配置された側面部を接近させることで、当該箱体の左右方向への折畳を実現可能に構成されている。
【００１３】
この構成に係る折畳イスであれば、箱体において前後方向に沿って配置された対向する側面部それぞれが、箱体内側へ凹となるように屈曲可能に構成されているため、この側面部を所定量だけ屈曲させることで、この側面部の上端に配置される上面部への荷重を支えることができ、また、屈曲量を大きくして左右方向に沿って配置された側面部を接近させることにより、当該箱体の左右方向への折畳を実現することができる。
【図面の簡単な説明】
【００１４】
【図１】本発明の折畳イスの全体構造を示す斜視図
【図２】箱体の構造を示す斜視図（図２Ａが上段の箱体、図２Ｂが下段の箱体）
【図３】箱体を構成するシート状部材（図３Ａが上段の箱体、図３Ｂが下段の箱体）
【図４】上段の箱体を示す６面図
【図５】下段の箱体を示す６面図
【図６】箱体が組み立てられる様子および折り畳まれる様子を示す図（図６Ａが上段の箱体、図６Ｂが下段の箱体）
【図７】別の実施形態における箱体を示す斜視図
【発明を実施するための形態】
【００１５】
以下に本発明の実施形態を図面と共に説明する。
（１）全体構成
折畳イス１は、図１に示すように、それぞれが少なくとも上面が閉じられた筒として構成された折り畳み可能な２つの箱体１０，２０からなる。
【００１６】
これら箱体１０，２０は、図２に示すように、一方の箱体１０に、その下端側において対向する位置それぞれから下方へ延出する嵌合片１１が形成され、他方の箱体２０における上面部２３に、嵌合片１１と同じ位置関係で嵌合片１１がそれぞれ嵌合可能な嵌合孔２１が形成されている。なお、本実施形態において、嵌合片１１は前後方向に沿って２カ所設けられている。また、各箱体１０，２０は、図３に示すように、それぞれシート状部材（本実施形態においては段ボールを使用）を組み立てることで構成される。
【００１７】
このような構成の箱体１０、２０それぞれは、嵌合片１１が嵌合孔２１に嵌合するように重ねることで一方の箱体１０における上面部１３がイスとしての座面となっている（図１参照）。
【００１８】
本実施形態において、箱体１０，２０それぞれは、図４,図５に示すように、断面四角形で底面が開放され、それぞれ対向する２対の側面部を有する筒として構成とされ、一方の箱体１０（上段の箱体１０）において左右方向に沿って配置された側面部１５それぞれの下端側から嵌合片１１が延出している。また、他方の箱体２０（下段の箱体２０）における嵌合孔２１は、それぞれ箱体２０の上面部２３において嵌合片１１それぞれに対応する位置であって、この上面部の端部よりシート状部材の厚さだけ内側に形成されている。なお、本実施形態では、嵌合片１１および嵌合孔２１が前後方向に２つずつ配置された構成を例示したが、これらは、前後方向に１つまたは３つずつが配置された構成としてもよい。
【００１９】
また、箱体１０，２０において左右方向に沿って配置された側面部１５，２５それぞれは、図６に示すように、その上端部から延出する延出片１７，２７が形成されており、この延出片１７，２７を屈曲させ、それぞれの端部領域を箱体１０，２０内部に折り込むことによって（同図矢印ａ参照）、上面部１３，２３が形成される。
【００２０】
また、箱体１０，２０において前後方向に沿って配置された対向する側面部１９，２９それぞれは、箱体１０，２０の内側へ凹となるよう屈曲可能に構成されている。そして、この側面部１９，２９を所定量だけ屈曲することで、この側面部の上端に配置される上面部１３，２３への荷重を支える一方、この屈曲量を大きくし左右方向に沿って配置された側面部１９，２９同士を接近させることで（同図矢印ｂ参照）、箱体１０，２０の左右方向への折畳を実現することができる。
（２）作用，効果
このように構成された折畳イス１であれば、２つの箱体１０，２０を連結してイスの高さを確保することができ、イスの高さという点で使用時の利便性が高いことはもちろん、箱体１０，２０の連結を解除して個別に折畳むことができるため、箱体を連結しない従来の構成と比べて各箱体１０，２０をコンパクトに折畳むことができ、その結果、運搬時の利便性も高い。
【００２１】
また、上記構成に係る折畳イス１であれば、下段の箱体２０における嵌合孔２１が、その上面の端部よりも少なくともシート状部材の厚さだけ内側に形成されているため、この嵌合孔２１に嵌合する上段の箱体１０における嵌合片１１は、嵌合孔２１の内周面に押されて変形しながら嵌合孔２１に侵入していくこととなる。嵌合片１１は箱体１０において対向する側面部１５それぞれに設けられていることから、両方の嵌合片１１がそれぞれ内側に変形しながら嵌合孔２１に侵入していくことで、下段の箱体２０を嵌合孔２１により挟んで安定的な連結状態を実現することができる。
【００２２】
また、上記構成に係る折畳イス１であれば、箱体１０，２０において前後方向に沿って配置された対向する側面部１９，２９それぞれが、箱体１０，２０内側へ凹となるように屈曲可能に構成されている。そのため、この側面部１９，２９を所定量だけ屈曲させることで、この側面部１９，２９の上端に配置される上面部１３，２３への荷重を支えることができ、また、屈曲量を大きくして左右方向に沿って配置された側面部１５，２５を接近させることにより、当該箱体１０，２０の左右方向への折畳を実現することができる。
（３）変形例
以上、本発明の実施の形態について説明したが、本発明は、上記実施形態に何ら限定されることはなく、本発明の技術的範囲に属する限り種々の形態をとり得ることはいうまでもない。
【００２３】
例えば、上記実施形態において、箱体１０，２０に形成された嵌合片１１および嵌合孔２１は、箱体１０，２０の連結を実現可能な位置に設けられていればその具体的な位置関係は特に限定されない。
【００２４】
また、上記実施形態においては、シート状部材として段ボールが採用されている構成を例示したが、シート状部材としては、段ボールに限定されない。
また、上記実施形態では、嵌合孔２１は、箱体２０上面部よりシート状部材の厚さだけ内側に形成されている構成を例示したが、この嵌合孔２１の位置は、それ以上内側としてもよい。
【００２５】
また、上記実施形態においては、上段の箱体１０と下段の箱体２０とが嵌合片１１および嵌合孔２１の有無により異なる構造体となっている構成を例示した。しかし、これら箱体１０，２０は、それぞれ同じ構造体のものを選択的に上段または下段に使用できるような構成とすることも考えられる。
【００２６】
具体的には、箱体３０として、図７に示すように、嵌合孔３１を有するとともに、その下端側に嵌合片として機能する領域を残して切り離し可能な離脱部３３を設けたものを２つ用い、一方の箱体３０における離脱部３３を切り離すことで箱体３０同士の連結を実現することが考えられる。この離脱部３３の切り離しは、例えば、あらかじめ形成したミシン目などにより実現すればよい。
【符号の説明】
【００２７】
１…折畳イス、１０…箱体（上段の箱体）、１１…嵌合片、１３…上面部、１５…側面部、１７…延出片、１９…側面部、２０…箱体（下段の箱体）、２１…嵌合孔、２３…上面部、２５…側面部、２７…延出片、２９…側面部、３０…箱体、３１…嵌合孔、３３…離脱部。
【図１】
2017029544.tif 000003
【図２】
2017029544.tif 000004
【図３】
2017029544.tif 000005
【図４】
2017029544.tif 000006
【図５】
2017029544.tif 000007
【図６】
2017029544.tif 000008
【図７】
2017029544.tif 000009